(57)【特許請求の範囲】
【請求項１】
ペレタイザー（２０）の相対向する側枠（７）（７）の内部には、入口側にストランド（１９）が侵入する挿着自在なフード（１）を設け、該フード（１）には、各種形状の移動枠（３）にストランド（１９）を送り出す案内ロール（２）を枢着し、該案内ロール（２）の前方には、該ストランド（１９）を送り出す送りロール（１３）と上部に押さえロール（１２）を設け、該送りロール（１３）には前方に固定刃台（１４）を設けると共に、該固定刃台（１４）と対接する回転切断ロール（１５）を装設し、該フード（１）には、左右の該側枠（７）（７）の溝に挿入突部（８）（８）を着脱自在に装設し、且つ該案内ロール（２）には、外周に多数の送り溝（６）（６）…を形成すると共に、両端には回転自在の回転軸（４）（４）を設け、該回転軸（４）（４）には、左右に移動自在となる移動枠（３）を装着し、該移動枠（３）には、固定枠（５）を介して操作枠（９）を固定し、該操作枠（９）には、締付螺子把手（１０）の可動によって該移動枠（３）と一緒に該案内ロール（２）を移動自在に操作できるようにしたことを特徴とするペレタイザーに於けるストランドの案内ロール移動装置。
【発明の詳細な説明】
【０００１】
【産業上の利用分野】
この発明は、ペレタイザーに於けるストランドを送る案内溝を設けた案内ロールを容易に左右に移動し、回転切断ロールの切断刃の位置を僅かに移動させることによつて切断に使用されていない刃型部分にストランドの先端を送り出すことを目的とするペレタイザーに於けるストランドの案内ロール移動装置に関するものである。
【０００２】
【従来の技術】
従来、この種のストランドの送り出し案内ロールは、外周に多数の送り溝を設け、この案内ロールをストランドの入口側のフードに固定して案内装設されるのが普通に実施されている現状である。
【０００３】
【発明が解決しようとする課題】
従来のストランドの案内ロールにあつては、ペレクイザーの入口側のストランドが送られるフード内に回転軸によつて軸受固定されているため、移送されるストランドは、定位置の案内ロールの送り溝内を連続して通過するため、そのストランドの先端は回転切断ロールの一定の切断刃部分によつて常時切断され、相対する回転切断ロールの切断刃が摩滅して切断能力が著しく低下する欠点があるため、ストランドが正確に切断されないと云う問題点があつた。
そこで、この発明は、この様な従来の問題点を解決するものであつて、その主たる目的とする所は、ストランドを切断するために案内する送り溝付きの案内ロールをフード内において、左右に僅か移動することでストランドの先端を回転切断ロールに対して少し変化させ、切断ロールの摩耗した位置を変えて切断刃の位置をずらすことにより、新しい切断刃の部分によつてストランドを綺麗に切断させ、回転切断ロールを長持ちさせて使用し、操業の能率化及び経済的にも優れたストランドの案内ロール移動装置を提供しようとするものである。
【０００４】
【課題を解決するための手段】
上記目的を達成するために、多数条のストランドが侵入するフードには、内部に多数の送り溝を設けた案内ロールを有し、ストランドの案内ロールには、両端に回転軸と各種形状の移動枠を設けてある。この移動枠には、操作枠を設け、該操作枠の把手操作によつて移動枠と共に案内ロールを僅かに移動自在にして、ストランドの先端を回転切断ロールの切断刃に対して変化せしめることを特徴とする。
【０００５】
【作用】
この発明は、上記の如き構成よりなり、この用法を説明すると、押出機より冷水を経て送られてくるストランド（１９）は、１ミル以下及び１ミル以上の各種の径のものが案内ロール（２）に送り出される。送り出されたストランド（１９）の先端は、回転切断ロール（１５）の定位置で切断されるものであるが、長時間使用していると回転切断ロール（１５）の先端の刃型が摩滅して切断能率が悪化することがある。この時、案内ロール（２）を締付螺子把手（１０）の操作により移動枠（３）を僅か左右いずれの方向にも移動固定することによつてストランド（１９）の先端を回転切断ロール（１５）の使用されない新しい刃型部分に当接させて切断することによつて、ストランド（１９）の切断面を綺麗に仕上げるようにしたものである。そして、固定切断ロール（１５）を長期間に亘つてできるだけ取り替えることなく使用するものである。
【０００６】
【実施例】
次に、この発明の実施例を図面について説明すると、図１に示すものは、ペレタイザー（２０）の一部を示すもので、相対する側枠（７）（７）の内部には、入口側にストランド（１９）が侵入するフード（１）を有し、そのフード（１）に各種形状の移動枠（３）にストランド（１９）を送り出す案内ロール（２）が枢着されている。
また、その案内ロール（２）の前方には、ストランド（１９）を送り出す送りロール（１３）と上部に押さえロール（１２）が位置される。この送りロール（１３）の前方に固定刃台（１４）と、これに対接する回転切断ロール（１５）が装設されている。
【０００７】
前記フード（１）には、図３に示す如く、左右の該側枠（７）（７）の溝に嵌合される挿入突部（８）（８）を設けて着脱自在に装設されている。
次に、前記案内ロール（２）は、図４に示す如く、外周に多数の送り溝（６）（６）……を形成すると共に、両端には回転軸（４）（４）を回転自在に軸着してある。この回転軸（４）（４）には、各種形状の左右に移動自在となる移動枠（３）を装着すると共に、この移動枠（３）には、固定枠（５）を介して操作枠（９）を固定してある。該操作枠（９）には、押さえ板（１１）を重合して調整すると共に、押さえ板（１１）を締付自在とする締付螺子把手（１０）を回動自在に螺合してある。なお、符号（１７）は、ペレタイザー（２０）を作動するベルトを架設するプーリを示したものである。
【０００８】
【発明の効果】
この発明は上記の如く構成されているので、案内ロールは、左右に移動自在であるため、回転切断ロールの切断刃の位置を替えることによつて切断能率を常時効力よく使用されて長期間の使用が可能となり、大変に経済的となる効果と、従来の回転切断ロールの如く、刃先の摩滅した場合でも、新しい切断ロールをすぐに取り替える必要がない実利的な効果がある。
そして、外周に多数の送り溝を設けた案内ロールの両端に回転軸を設け、その回転軸に各種形状の左右に移動する移動枠を固定してあるので、案内ロールは、確実強固に移動でき、ペレタイザーの送り出しも正確にできる効果がある。
また、移動枠に操作枠を固定すると共に、操作枠に操作螺子把手を可動自在に装設したことによつて、案内ロールの僅かの移動を正確に操作できる効果のため、回転切断ロールに対接するストランドの先端をも僅かに位置替えができると云う従来にない優れた効果がある。
【図面の簡単な説明】
【図１】この発明のペレタイザーに装着する位置を示した一部欠除した縦断側面図である。
【図２】同じくこの発明の一部欠除した正面図である。
【図３】同じくペレタイザーの入口におけるフード部分の一部欠除した正面図である。
【図４】同じくこの発明の案内ロール部分の一部欠除した正面図である。
【符号の説明】
１          フード
２          案内ロール
３          移動枠
４          回転軸
５          固定枠
６          送り溝
７          側枠
１０        締付螺子把手
１１        押さえ板
１２        押さえロール
１３        送りロール
１４        固定刃台
１５        回転切断ロール
１９        ストランド
２０        ペレタイザー
【図１】
0003588863.tif 000002
【図２】
0003588863.tif 000003
【図３】
0003588863.tif 000004
【図４】
0003588863.tif 000005